(57)【要約】【課題】電線がハウジングからの導出方向と交差する方向の外力を受けることに起因して端子金具がハウジング内で姿勢を傾けるのを防止する。【解決手段】ハウジング１０のキャビティ１１内には後方から端子金具２０が挿入され、端子金具２０の電線接続部２２に接続した電線３０がハウジング１０の後方へ導出している。ハウジング１０の後端面には、板状をなし、外縁に開口する保持溝１４Ａ，１４Ｂを有する保持体１２Ａ，１２Ｂが重なるように取り付けられ、電線３０は、ハウジング１０の後端部において保持溝１４Ａ，１４Ｂと嵌合することにより、導出方向と交差する方向への変位を規制される。【選択図】図２
2010050050.tif 000002
【特許請求の範囲】
【請求項１】
内部にキャビティが形成されたハウジングと、
後端側に電線接続部が形成され、後方から前記キャビティ内に挿入された端子金具と、
前記電線接続部に接続されて前記ハウジングの後方へ導出された電線と、
前記ハウジングの後端面に重なるような板状をなし、外縁に開口する保持溝を有する保持体とを備えており、
前記保持体を前記ハウジングの後端面に取り付けた状態では、前記電線が、前記保持溝に嵌合することにより導出方向と交差する方向への変位を規制されるようになっていることを特徴とするコネクタ。
【請求項２】
前記保持体が、ヒンジを介して前記ハウジングに連結されていることを特徴とする請求項１記載のコネクタ。
【請求項３】
複数の前記キャビティが、前記電線の導出方向と交差する二次元方向において縦横に整列配置されており、
縦方向に延びる第１の前記保持溝を有する第１の前記保持体と、横方向に延びる第２の前記保持溝を有する第２の前記保持体とが重ねられて取り付けられ、
前記第１の保持溝と前記第２の保持溝とが重なる領域において、前記電線が縦方向と横方向への変位を規制された状態で保持されていることを特徴とする請求項１又は請求項２記載のコネクタ。
【発明の詳細な説明】
【技術分野】
【０００１】
本発明は、コネクタに関するものである。
【背景技術】
【０００２】
特許文献１には、ハウジング内に端子金具を挿入して構成されるコネクタが開示されている。端子金具は、後端側部分にオープンバレル状のワイヤバレル部を有しており、このワイヤバレル部には、電線における絶縁被覆を除去して露出された導体が圧着により導通可能に接続されている。端子金具に接続された電線は、ハウジング外を導出されている。
【特許文献１】特開２００５−２２２８１５公報
【発明の開示】
【発明が解決しようとする課題】
【０００３】
一般的な電線では、導体として比較的剛性の低い銅が用いられているが、導体として銅よりも剛性の高い材料（例えば、アルミニウム）を用いたり、銅よりも導電率の低い材料（例えば、アルミニウム）を用いたことに伴って導体を太くしたために結果的に導体の剛性が高まってしまうことがある。このような場合、ハウジングの後方へ導出されている電線が、ハウジングからの導出方向と交差する方向の外力を受けて変位すると、電線の剛性により、端子金具がハウジング内で姿勢を傾ける虞がある。端子金具の姿勢が変化すると、相手側端子との接触状態が不安定となり、接触信頼性の低下が懸念される。
【０００４】
本発明は上記のような事情に基づいて完成されたものであって、電線がハウジングからの導出方向と交差する方向の外力を受けることに起因して端子金具がハウジング内で姿勢を傾けるのを防止することを目的とする。
【課題を解決するための手段】
【０００５】
上記の目的を達成するための手段として、請求項１の発明は、内部にキャビティが形成されたハウジングと、後端側に電線接続部が形成され、後方から前記キャビティ内に挿入された端子金具と、前記電線接続部に接続されて前記ハウジングの後方へ導出された電線と、前記ハウジングの後端面に重なるような板状をなし、外縁に開口する保持溝を有する保持体とを備えており、前記保持体を前記ハウジングの後端面に取り付けた状態では、前記電線が、前記保持溝に嵌合することにより導出方向と交差する方向への変位を規制されるようになっているところに特徴を有する。
【０００６】
請求項２の発明は、請求項１に記載のものにおいて、前記保持体が、ヒンジを介して前記ハウジングに連結されているところに特徴を有する。
【０００７】
請求項３の発明は、請求項１または請求項２に記載のものにおいて、複数の前記キャビティが、前記電線の導出方向と交差する二次元方向において縦横に整列配置されており、縦方向に延びる第１の前記保持溝を有する第１の前記保持体と、横方向に延びる第２の前記保持溝を有する第２の前記保持体とが重ねられて取り付けられ、前記第１の保持溝と前記第２の保持溝とが重なる領域において、前記電線が縦方向と横方向への変位を規制された状態で保持されているところに特徴を有する。
【発明の効果】
【０００８】
＜請求項１の発明＞
電線に対しハウジングからの導出方向と交差する方向の外力が作用しても、電線は、ハウジングの後端部において保持溝と嵌合することにより、導出方向と交差する方向への変位を規制されるので、端子金具がハウジング内で姿勢を傾ける虞はない。また、保持溝が保持体の外縁に開口した形態となっているので、端子金具をキャビティに挿入する前に予め電線を保持体に貫通させておく必要がなく、端子金具をキャビティに挿入してハウジングから電線を導出させた後に、保持体をハウジングに取り付けることができる。
【０００９】
＜請求項２の発明＞
保持体がヒンジを介してハウジングに連結されているので、保持体とハウジングの取り扱いが容易である。
【００１０】
＜請求項３の発明＞
電線を縦方向と横方向の両方向において変位機能されているので、端子金具の姿勢の傾きを確実に防止できる。
【発明を実施するための最良の形態】
【００１１】
＜実施形態１＞
以下、本発明を具体化した実施形態１を図１乃至図８を参照して説明する。本実施形態１のコネクタは、ハウジング１０と、複数の端子金具２０と、電線３０とを備えて構成されている。電線３０は、導体３１を絶縁被覆３２で包囲した周知の形態のものである。電線３０の前端部においては、端子金具２０に接続されるのに先立ち、絶縁被覆３２が除去されて導体３１が露出した状態となっている。導体３１の材料としては、銅や、銅よりも剛性が高い材料（例えば、アルミニウム）や、銅よりも導電率の低い材料（例えば、アルミニウム）が用いられている。
【００１２】
ハウジング１０は、合成樹脂製であり、その内部には前後方向に細長い複数のキャビティ１１が上下方向及び左右方向（即ち、ハウジング１０からの電線３０の導出方向と交差する二次元方向）において並列して形成されている。各キャビティ１１内には後方から端子金具２０が挿入されている。
【００１３】
端子金具２０は、前端側領域が相手側端子（図示せず）との接続手段として機能する端子接続部２１となっており、後端側部分は、オープンバレル状の電線接続部２２となっている。電線接続部２２は、その前端側領域に形成されたワイヤバレル部２３と後端側領域に形成されたインシュレーションバレル部２４とを備えて構成されている。ワイヤバレル部２３には導体３１が圧着により接続され、インシュレーションバレル部２４には、電線３０の前端部のうち絶縁被覆３２で覆われた部分と防水用のゴム栓２５とが圧着により接続されている。端子金具２０がキャビティ１１に挿入された状態では、電線３０がハウジング１０の後端面から後方へ導出されている。この電線３０の導出方向は、後端面と略直角な方向である。
【００１４】
ハウジング１０には、導出された電線３０に対しその導出方向と交差する方向（上下方向や左右方向）からの外力を受けたときに、それが原因となってキャビティ１１内の端子金具２０の姿勢が傾くのを防止する手段として第１と第２の２つの保持体が設けられている。
【００１５】
第１保持体１２Ａは、板状をなし、ハウジング１０の上端縁に連なる左右一対のヒンジ１３Ａを介してハウジング１０に連結されている。つまり、第１保持体１２Ａはハウジング１０と一体の部品である。第１保持体１２Ａは、製造された状態では、図２及び図４に示すようにハウジング１０の上方においてハウジング１０の後端面とほぼ平行をなす展開位置（待機位置）に保持されているが、ヒンジ１３Ａを曲げ変形させながら図５に示すようにハウジング１０の後端面に重なる保持位置へ約１８０°反転するように揺動し得るようになっている。
【００１６】
第１保持体１２Ａには、待機位置と保持位置のいずれにおいても上下方向に直線状に延びる複数の第１保持溝１４Ａが、左右に並列して形成されている。これらの第１保持溝１４Ａは、ヒンジ１３Ａとは反対側の揺動端縁に開口している。また、第１保持体１２Ａの揺動端縁には、直角に屈曲した形態の第１係止部１５Ａが形成され、各第１係止部１５Ａには第１係止孔１６Ａが形成されている。
【００１７】
また、ハウジング１０の下面には、第１保持体１２Ａが保持位置にある状態で、第１係止孔１６Ａと係止可能な第１係止突起１７Ａが形成され、この第１係止孔１６Ａと第１係止突起１７Ａの係止作用により、第１保持体１２Ａが保持位置に保持されるようになっている。また、ハウジング１０の後端面における下端部には、第１保持体１２Ａが保持位置にある状態で、各第１保持溝１４Ａの開口端部と嵌合可能な第１位置決め突起１８Ａが形成され、第１保持溝１４Ａと第１位置決め突起１８Ａの嵌合により、第１保持体１２Ａは左右方向においてハウジング１０に対して位置決めされるようになっている。
【００１８】
第２保持体１２Ｂは、板状をなし、ハウジング１０の左側縁に連なる上下一対のヒンジ１３Ｂを介してハウジング１０に連結されている。つまり、第２保持体１２Ｂも第１保持体１２Ａと同様にハウジング１０と一体の部品である。第２保持体１２Ｂは、製造された状態では、図２及び図３に示すようにハウジング１０の左方においてハウジング１０の後端面とほぼ平行をなす展開位置（待機位置）に保持されているが、ヒンジ１３Ｂを曲げ変形させながら図６に示すようにハウジング１０の後端面に重なる保持位置へ約１８０°反転するように揺動し得るようになっている。
【００１９】
第２保持体１２Ｂには、待機位置と保持位置のいずれにおいても左右方向に直線状に延びる複数の第２保持溝１４Ｂが、左右に並列して形成されている。これらの第２保持溝１４Ｂは、ヒンジ１３Ｂとは反対側の揺動端縁に開口している。また、第２保持体１２Ｂの揺動端縁には、直角に屈曲した形態の第２係止部１５Ｂが形成され、各第２係止部１５Ｂには第２係止孔１６Ｂが形成されている。
【００２０】
また、ハウジング１０の右側面には、第２保持体１２Ｂが保持位置にある状態で、第２係止孔１６Ｂと係止可能な第２係止突起１７Ｂが形成され、この第２係止孔１６Ｂと第２係止突起１７Ｂの係止作用により、第２保持体１２Ｂが保持位置に保持されるようになっている。ハウジング１０の後端面における右端部には、第２保持体１２Ｂが保持位置にある状態で、各第２保持溝１４Ｂの開口端部と嵌合可能な第２位置決め突起１８Ｂが形成され、第２保持溝１４Ｂと第２位置決め突起１８Ｂの嵌合により、第２保持体１２Ｂは左右方向においてハウジング１０に対して位置決めされるようになっている。尚、第１保持体１２Ａの右側縁部には、第１保持体１２Ａを保持位置に変位させたときに第２位置決め突起１８Ｂとの干渉を回避するための逃がし凹部１９が形成されている。
【００２１】
全てのキャビティ１１に端子金具２０を挿入した後は、まず、待機位置にある第１保持体１２Ａを反転させて図５に示す保持位置へ変位させる。この状態では、各キャビティ１１から後方へ導出している電線３０が、第１保持溝１４Ａと嵌合することにより、左右方向（第１保持溝１４Ａの長さ方向と直角な方向）への変位が規制される。
【００２２】
この後、待機位置の第２保持体１２Ｂを図６に示す保持位置へ変位させ、第１保持体１２Ａの後面に重ね合わせる。すると、電線３０が、第２保持溝１４Ｂに嵌合することにより、上下方向（第２保持溝１４Ｂの長さ方向と直角な方向）への変位が規制される。以上により、コネクタの組付けが完了し、ハウジング１０の後端部において、電線３０が上下方向及び左右方向のいずれの方向への変位も規制される。
【００２３】
つまり、両保持体１２Ａ，１２Ｂの後方において電線３０が上下又は左右方向（ハウジング１０からの導出方向と交差する方向）からの外力を受けても、両保持体１２Ａ，１２Ｂを貫通している部分においては電線３０の変位が規制されるので、電線３０に付与された外力の影響は、ハウジング１０の内部（両保持体１２Ａ，１２Ｂの前方）に位置している端子金具２０には及ばない、したがって、電線３０が外力を受けたことに起因してハウジング１０内の端子金具２０の姿勢が変化する虞はない。
【００２４】
また、電線３０の変位を規制している保持溝１４Ａ，１４Ｂは、保持体１２Ａ，１２Ｂの外縁に開口した形態となっているので、端子金具２０をキャビティ１１に挿入する前に予め電線３０を保持体１２Ａ，１２Ｂに貫通させておく必要がない。つまり、端子金具２０をキャビティ１１に挿入してハウジング１０から電線３０を導出させた後に、保持体１２Ａ，１２Ｂをハウジング１０に取り付けることができるので、組付時の作業性に優れている。
【００２５】
また、保持体１２Ａ，１２Ｂはヒンジ１３Ａ，１３Ｂを介してハウジング１０に連結されているので、保持体１２Ａ，１２Ｂとハウジング１０の取り扱いが容易である。
【００２６】
＜実施形態２＞
次に、本発明を具体化した実施形態２を図９乃至図１１を参照して説明する。本実施形態２のコネクタは、保持体４２Ａ，４２Ｂを上記実施形態１とは異なる構成としたものである。その他の構成については上記実施形態１と同じであるため、同じ構成については、同一符号を付し、構造、作用及び効果の説明は省略する。
【００２７】
本実施形態２のコネクタは、ハウジング４０内に複数のキャビティ４１を上下二段に分けて左右に並列配置したものであり、ハウジング４０には、上下対称な一対の保持体４２Ａ，４２Ｂが一体に形成されている。
【００２８】
上部保持体４２Ａは、板状をなし、ハウジング４０の上端縁に連なる左右一対のヒンジ４３Ａを介してハウジング４０に連結されている。上部保持体４２Ａは、製造された状態では、図９及び図１０に示すようにハウジング４０の上方においてハウジング４０の後端面とほぼ平行をなす展開位置（待機位置）に保持されているが、ヒンジ４３Ａを曲げ変形させながら図１１に示すようにハウジング４０の後端面に重なる保持位置へ約１８０°反転するように揺動し得るようになっている。
【００２９】
上部保持体４２Ａには、待機位置と保持位置のいずれにおいても上下方向に直線状に延びる複数の上部保持溝４４Ａが、左右に並列して形成され、これらの上部保持溝４４Ａは、ヒンジ４３Ａとは反対側の揺動端縁に開口している。また、上部保持体４２Ａの左右両側縁部には、直角に屈曲した形態の上部係止部４６Ａが形成され、各上部係止部４６Ａには上部係止孔４７Ａが形成されている。一方、ハウジング４０の左右両側面には、上部保持体４２Ａが保持位置にある状態で、上部係止孔４７Ａと係止可能な上部係止突起４８Ａが形成され、この上部係止孔４７Ａと上部係止突起４８Ａの係止作用により、上部保持体４２Ａが保持位置に保持されるようになっている。また、ハウジング４０の後端面には、上部保持体４２Ａが保持位置にある状態で、各上部保持溝４４Ａの開口端部と嵌合可能な位置決め突起４９が形成され、上部保持溝４４Ａと位置決め突起４９の嵌合により、上部保持体４２Ａは左右方向においてハウジング４０に対して位置決めされるようになっている。
【００３０】
下部保持体４２Ｂは、板状をなし、ハウジング４０の下端縁に連なる左右一対のヒンジ４３Ｂを介してハウジング４０に連結されている。下部保持体４２Ｂは、製造された状態では、図９及び図１０に示すようにハウジング４０の下方においてハウジング４０の後端面とほぼ平行をなす展開位置（待機位置）に保持されているが、ヒンジ４３Ｂを曲げ変形させながら図１１に示すようにハウジング４０の後端面に重なる保持位置へ約１８０°反転するように揺動し得るようになっている。
【００３１】
下部保持体４２Ｂには、待機位置と保持位置のいずれにおいても上下方向に直線状に延びる複数の下部保持溝４４Ｂが、左右に並列して形成され、これらの下部保持溝４４Ｂは、ヒンジ４３Ｂとは反対側の揺動端縁に開口している。また、下部保持体４２Ｂの左右両側縁部には、直角に屈曲した形態の下部係止部４６Ｂが形成され、各下部係止部４６Ｂには下部係止孔４７Ｂが形成されている。一方、ハウジング４０の左右両側面には、下部保持体４２Ｂが保持位置にある状態で、下部係止孔４７Ｂと係止可能な下部係止突起４８Ｂが形成され、この下部係止孔４７Ｂと下部係止突起４８Ｂの係止作用により、下部保持体４２Ｂが保持位置に保持されるようになっている。また、ハウジング４０の後端面に形成されている上記位置決め突起４９には、保持位置に変位した下部保持体４２Ｂの下部保持溝４４Ｂの開口端部が嵌合するようになっており、この嵌合により、下部保持体４２Ｂは左右方向においてハウジング４０に対して位置決めされるようになっている。
【００３２】
全てのキャビティ４１に端子金具を挿入した後は、まず、待機位置にある上部保持体４２Ａと下部保持体４２Ｂを反転させて図１１に示す保持位置へ変位させる。この状態では、上段のキャビティ４１から後方へ導出している電線３０が、上部保持溝４４Ａと嵌合することにより、左右方向（上部保持溝４４Ａの長さ方向と直角な方向）への変位が規制されるとともに、下段のキャビティ４１から後方へ導出している電線３０が、下部保持溝４４Ｂと嵌合することにより、左右方向（下部保持溝４４Ｂの長さ方向と直角な方向）への変位が規制される。
【００３３】
したがって、両保持体４２Ａ，４２Ｂの後方において電線３０が左右方向からの外力を受けても、両保持体４２Ａ，４２Ｂを貫通している部分においては電線３０の左右方向への変位が規制されるので、電線３０に付与された外力の影響は、ハウジング４０の内部（両保持体４２Ａ，４２Ｂの前方）に位置している端子金具には及ばない、したがって、電線３０が左右方向の外力を受けたことに起因してハウジング４０内の端子金具の姿勢が左右に変化する虞はない。
【００３４】
＜他の実施形態＞
本発明は上記記述及び図面によって説明した実施形態に限定されるものではなく、例えば次のような実施態様も本発明の技術的範囲に含まれる。  
（１）上記実施形態では保持体をヒンジを介してハウジングに連結したが、本発明によれば、保持体をハウジングとは別体にしてもよい。  
（２）上記実施形態ではヒンジがハウジング及び保持体と一体に形成されていたが、本発明によれば、ハウジングに形成したヒンジ部と保持体に形成したヒンジ部とを相対的に揺動し得るように連結することによってヒンジが構成されていてもよい。  
（３）上記実施形態ではゴム栓を備えた防水タイプのコネクタについて説明したが、本発明は、非防水タイプのコネクタにも適用できる。
【図面の簡単な説明】
【００３５】
【図１】実施形態１において、第１保持体と第２保持体により電線の変位を規制した状態をあらわす断面図
【図２】第１保持体と第２保持体が待機位置にある状態をあらわす背面図
【図３】第１保持体と第２保持体が待機位置にある状態をあらわす平面図
【図４】第１保持体と第２保持体が待機位置にある状態をあらわす側面図
【図５】第１保持体が保持位置に変位し、第２保持体が待機位置にある状態をあらわす背面図
【図６】第１保持体と第２保持体が保持位置に変位した状態をあうらわす背面図
【図７】第１保持体と第２保持体が保持位置に変位した状態をあうらわす平面図
【図８】第１保持体と第２保持体が保持位置に変位した状態をあうらわす側面図
【図９】第２実施形態において上部保持体と下部保持体が待機位置にある状態をあらわす背面図
【図１０】上部保持体と下部保持体が待機位置にある状態をあらわす側面図
【図１１】上部保持体と下部保持体が保持位置へ変位した状態をあらわす背面図
【符号の説明】
【００３６】
１０…ハウジング
１１…キャビティ
１２Ａ…第１保持体
１３Ａ…第１ヒンジ
１４Ａ…第１保持溝
１２Ｂ…第２保持体
１３Ｂ…第２ヒンジ
１４Ｂ…第２保持溝
２０…端子金具
２２…電線接続部
３０…電線
４０…ハウジング
４１…キャビティ
４２Ａ…第１保持体
４２Ｂ…第２保持体
４３Ａ…第１ヒンジ
４３Ｂ…第２ヒンジ
４４Ａ…第１保持溝
４４Ｂ…第２保持溝
【図１】
2010050050.tif 000003
【図２】
2010050050.tif 000004
【図３】
2010050050.tif 000005
【図４】
2010050050.tif 000006
【図５】
2010050050.tif 000007
【図６】
2010050050.tif 000008
【図７】
2010050050.tif 000009
【図８】
2010050050.tif 000010
【図９】
2010050050.tif 000011
【図１０】
2010050050.tif 000012
【図１１】
2010050050.tif 000013